(57)【特許請求の範囲】
【請求項１】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下に応じて前記第１所定時間分より長い第２所定時間分をスキップさせた上で再び前記画像情報を再生する第２スキップ手段とを具備することを特徴とする画像記録再生装置。
【請求項２】
前記第１所定時間は前記第２所定時間よりも１秒以上５秒以内だけ短いことを特徴とする請求項１に記載される画像記録再生装置。
【請求項３】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を、１５秒の所定倍数よりも１秒以上５秒以内だけ短い第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下に応じて１５秒の所定倍数である第２所定時間分をスキップさせた上で再び前記画像情報を再生する第２スキップ手段とを具備することを特徴とする画像記録再生装置。
【請求項４】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を、２５秒以上２９秒以内である所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記所定時間分だけスキップさせ、２度目の押下に応じて３０秒分のスキップを行った上で再び前記画像情報を再生する第２スキップ手段とを具備することを特徴とする画像記録再生装置。
【請求項５】
記録媒体に対し画像情報の記録及び再生を行う画像記録再生装置であって、
前記記録媒体に格納された画像情報を再生する再生手段と、
ユーザのスキップキーの押下によって、前記再生手段による前記画像情報の再生を第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下が１度目の押下に応じたスキップが完了していないときは前記第１所定時間分より長い第２所定時間分をスキップさせ、２度目の押下が１度目の押下に応じたスキップが完了後にあったときは前記第１所定時間分より長く第２所定時間分より短い第３所定時間分をスキップさせた上で再び前記画像情報を再生する第２スキップ手段と、
を具備することを特徴とする画像記録再生装置。
【請求項６】
記録媒体に対し画像情報の記録及び再生を行う画像記録再生装置であって、
前記記録媒体に格納された画像情報を再生する再生手段と、
ユーザの入力に応じて第１所定時間と前記第１所定時間より長い第２所定時間を設定する設定手段と、
ユーザのスキップキーの押下によって、前記再生手段による前記画像情報の再生を前記設定手段で設定された前記第１所定時間分だけスキップさせた上で再び前記画像情報を再生する第１スキップ手段と、
ユーザのスキップキーの押下が一定時間内に２度以上あるとき、前記再生手段の再生を、１度目の押下に応じて前記第１所定時間分だけスキップさせ、２度目の押下に応じて前記設定手段により設定された第２所定時間分をスキップさせた上で再び前記画像情報を再生する第２スキップ手段とを具備することを特徴とする画像記録再生装置。
【発明の詳細な説明】
【０００１】
【発明の属する技術分野】
この発明は、光ディスクのように装置に対して着脱可能な記録媒体と、ハードディスクのように装置に内蔵された記録媒体とを、同時に取り扱うことが可能な画像記録再生装置のスキップ機能の改良に関する。
【０００２】
【従来の技術】
周知のように、近時では、例えばＤＶＤ（Ｄｉｇｉｔａｌ  Ｖｅｒｓａｔｉｌｅ  Ｄｉｓｃ）−ＲＡＭ（Ｒａｎｄｏｍ  Ａｃｃｅｓｓ  Ｍｅｍｏｒｙ）やＤＶＤ−ＲＷ（Ｒｅ  Ｗｒｉｔａｂｌｅ）等の光ディスクのように、装置に対して着脱自在な記録媒体と、ハードディスクのように装置に内蔵され、記録再生速度が高速で大容量の記録媒体とを、同時に取り扱うことを可能とした画像記録再生装置が開発されている。
【０００３】
そして、この種の画像記録再生装置は、光ディスクの持つ利点とハードディスクの持つ利点とを有機的に融合させることにより、従来の記録再生装置では到底実現することができなかった種々の新しい機能をユーザに提供することができる可能性を内在していることから、現在では、より一層便利でしかも不都合の生じないように、細部に渡って改良を施すことが強く要求されている。
【０００４】
例えば、記録媒体にテレビ番組等を記録しこれを再生する際に、このテレビ番組等の映像に含まれるコマーシャル部分を、再生の際に一つのスキップキー操作でスキップして再生するというスキップ機能が、例えば、ＶＴＲ（ヴィデオテープレコーダ）などで一般的に用いられている。コマーシャルに要する時間が、一般に１５秒単位や３０秒単位であることを利用した機能であり、例えば、９０秒のコマーシャル時間をスキップするには、スキップキーを三度押下することで、３０秒の３倍の９０秒のスキップを行うことにより、容易なスキップキー操作により映画などをコマーシャル等により中断することなく視聴することが可能となる。
【０００５】
しかしながら、一般にテレビ番組の再生中にコマーシャルが入った場合に、ユーザがコマーシャルに入ったことに気づいてこのスキップ機能のスキップキー操作を行うと、数秒の操作遅れが生じてしまうことが多い。この結果、スキップ後のテレビ番組の再生されるタイミングは、数秒の遅れが生じるという問題がある。
【０００６】
【発明が解決しようとする課題】
そこでこの発明は上記事情を考慮してなされたもので、装置に対して着脱自在な記録媒体と装置に内蔵された大容量記録媒体とを同時に取り扱うことを可能とする装置において、映像再生の際のコマーシャルのスキップ機能について、特に１回目のスキップ時間をユーザの操作遅れ時間を差し引いた時間でスキップを行う機能を有する画像記録再生装置を提供することを目的とする。
【０００７】
【課題を解決するための手段】
本発明に係る画像記録再生装置は、記録媒体に対し画像情報の記録及び再生を行う画像記録再生装置であって、前記記録媒体に格納された画像情報を再生する再生手段と、ユーザのスキップキーの押下によって、前記再生手段による前記画像情報の再生を第１所定時間分だけスキップさせた上で再び前記画像情報を再生する第１スキップ手段と、ユーザのスキップキーの押下が一定時間内に２度以上あるとき、前記再生手段の再生を、１度目の押下に応じて前記第１所定時間分だけスキップさせ、２度目の押下に応じて前記第１所定時間分より長い第２所定時間分をスキップさせた上で再び前記画像情報を再生する第２スキップ手段とを具備することを特徴とする画像記録再生装置である。
【０００８】
上記の様な構造により本発明は、スキップ機能のための１度目のスキップキー押下の操作では、ユーザがコマーシャルに入ったことを認識するまでの時間や、リモコンを手に取るまでの時間を考慮した第１所定時間とし、２度目のスキップキー押下の操作では、このような時間を含めない第２所定時間とするものである。これにより、例えば、３０秒のコマーシャルに対しては２５秒のスキップを行い、６０秒のコマーシャルに対する２回の押下では、２５秒＋３０秒の５５秒のスキップを行うことで、ユーザの操作の遅れ時間をも考慮したスキップ処理を行う。これにより、従来装置にありがちであった、本編が再開して一定時間経過した時点にスキップしてしまうという不具合を回避することが可能となる。
【０００９】
又本発明は、記録媒体に対し画像情報の記録及び再生を行う画像記録再生装置であって、前記記録媒体に格納された画像情報を再生する再生手段と、ユーザのスキップキーの押下によって、前記再生手段による前記画像情報の再生を第１所定時間分だけスキップさせた上で再び前記画像情報を再生する第１スキップ手段と、ユーザのスキップキーの押下が一定時間内に２度以上あるとき、前記再生手段の再生を、１度目の押下に応じて前記第１所定時間分だけスキップさせ、２度目の押下が１度目の押下に応じたスキップが完了していないときは前記第１所定時間分より長い第２所定時間分をスキップさせ、２度目以降の押下が１度目の押下に応じたスキップが完了後にあったときは前記第１所定時間分より長く第２所定時間分より短い第３所定時間分をスキップさせた上で再び前記画像情報を再生する第２スキップ手段とを具備することを特徴とする画像記録再生装置である。
【００１０】
上記の様な構造により本発明は、上述したように一回目のスキップのスキップ時間にユーザの操作の遅れ分を考慮することにより、従来あったコマーシャルが終了し本編が再開して小時間が経過した時点へスキップしてしまうという不具合を解消するものであるが、併せて、１回目のスキップキー押下のやや後に２回目のスキップキー押下をした際に、この２回目の押下が１回目のスキップキー押下に応じてスキップ処理が完了して再生が始まった後となった場合を想定している。この場合は、１回目のスキップ後の小時間の再生を考慮しないとやはりスキップしすぎる状況が発生するため、例えば正規の３０秒ではなく、２８秒とか２９秒などのスキップ時間の調節（すなわち第３所定時間）を行うものである。この第３所定時間は、第１所定時間の程には時間は短縮されていないことが特徴である。
【００１１】
又本発明は、記録媒体に対し画像情報の記録及び再生を行う画像記録再生装置であって、前記記録媒体に格納された画像情報を再生する再生手段と、ユーザの入力に応じて第１所定時間と前記第１所定時間より長い第２所定時間を設定する設定手段と、ユーザのスキップキーの押下によって、前記再生手段による前記画像情報の再生を前記設定手段で設定された前記第１所定時間分だけスキップさせた上で再び前記画像情報を再生する第１スキップ手段と、ユーザのスキップキーの押下が一定時間内に２度以上あるとき、前記再生手段の再生を、１度目の押下に応じて前記第１所定時間分だけスキップさせ、２度目の押下に応じて前記設定手段により設定された第２所定時間分をスキップさせた上で再び前記画像情報を再生する第２スキップ手段とを具備することを特徴とする画像記録再生装置である。
【００１２】
上記した構造により本発明は、スキップ処理のための二つの所定時間、つまりユーザの操作の遅延時間を考慮した第１所定時間とこの遅延時間を考慮しない第２所定時間を、ユーザがリモコン等から設定することができるようにするものである。こうすることで、ユーザの個人差を反映させたスキップ時間を設定することにより、個人差を考慮した適切なスキップ処理の実現を可能とする画像記録再生装置を提供することができる。
【００１３】
【発明の実施の形態】
以下、この発明の一実施の形態について図面を参照して詳細に説明する。図１は本発明に係る画像記録再生装置の一実施の形態の概略的な構成を示している。
【００１４】
［画像記録再生装置の構成］
すなわち、この画像記録再生装置は、ＤＶＤ−ＲＡＭやＤＶＤ−ＲＷ等のような光ディスク１１を回転駆動し、この光ディスク１１に対して情報の書き込み及び読み取りを実行することのできるディスクドライブ１２と、図示しないハードディスクを回転駆動し、このハードディスクに対して情報の書き込み及び読み取りを実行することのできるＨＤＤ（Ｈａｒｄ  Ｄｉｓｃ  Ｄｒｉｖｅ）部１３と、記録側を構成するエンコーダ部１４と、再生側を構成するデコーダ部１５と、装置本体の動作を統括的に制御するマイクロコンピュータブロック１６とを、主たる構成要素としている。
【００１５】
そして、エンコーダ部１４は、ＡＤＣ（Ａｎａｌｏｇ  ｔｏ  Ｄｉｇｉｔａｌ  Ｃｏｎｖｅｒｔｅｒ）１４ａと、Ｖ（Ｖｉｄｅｏ）エンコーダ，Ａ（Ａｕｄｉｏ）エンコーダ及びＳＰ（Ｓｕｂ‐Ｐｉｃｔｕｒｅ）エンコーダを含むエンコーダ群１４ｂと、このエンコーダ群１４ｂの各エンコーダの出力を所定のフォーマットに変換するフォーマッタ１４ｃと、このフォーマッタ１４ｃの作業用に使用されるバッファメモリ１４ｄとを備えている。
【００１６】
このうち、ＡＤＣ１４ａには、Ａ／Ｖ（Ａｕｄｉｏ／Ｖｉｄｅｏ）入力部１７からの外部アナログ画像信号＋外部アナログ音声信号、あるいは、ＴＶ（Ｔｅｌｅｖｉｓｉｏｎ）チューナ１８からのアナログ画像信号＋アナログ音声信号が入力されている。
【００１７】
ＡＤＣ１４ａは、入力されたアナログ画像信号を、例えばサンプリング周波数１３．５ＭＨｚ、量子化ビット数８ビットでデジタル化する。すなわち、輝度成分Ｙ、色差成分Ｃｒ（またはＹ−Ｒ）及び色差成分Ｃｂ（またはＹ−Ｂ）が、それぞれ８ビットで量子化されることになる。
【００１８】
同様に、ＡＤＣ１４ａは、入力されたアナログ音声信号を、例えばサンプリング周波数４８ｋＨｚ、量子化ビット数１６ビットでデジタル化する。
【００１９】
また、ＡＤＣ１４ａにデジタル画像信号やデジタル音声信号が入力されているときは、ＡＤＣ１４ａは、そのデジタル画像信号やデジタル音声信号をスルーパスさせる。
【００２０】
なお、これらのデジタル画像信号やデジタル音声信号に対して、内容を改変することなく、ジッタ低減処理やサンプリングレートの変更処理等を行なうことは許可されている。
【００２１】
ＡＤＣ１４ａから出力されたデジタル画像信号は、エンコーダ群１４ｂのＶエンコーダを介してフォーマッタ１４ｃに送られる。また、ＡＤＣ１４ｃから出力されたデジタル音声信号は、エンコーダ群１４ｂのＡエンコーダを介してフォーマッタ１４ｃに送られる。
【００２２】
Ｖエンコーダは、入力されたデジタル画像信号を、ＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）２またはＭＰＥＧ１規格に基づいて、可変ビットレートで圧縮されたデジタル画像信号に変換する機能を持っている。
【００２３】
また、Ａエンコーダは、入力されたデジタル音声信号を、ＭＰＥＧまたはＡＣ（Ａｕｄｉｏ  Ｃｏｍｐｒｅｓｓｉｏｎ）−３規格に基づいて、固定ビットレートで圧縮されたデジタル音声信号またはリニアＰＣＭ（Ｐｕｌｓｅ  Ｃｏｄｅ  Ｍｏｄｕｌａｔｉｏｎ）のデジタル音声信号に変換する機能を持っている。
【００２４】
なお、Ａ／Ｖ入力部１７から副映像（ＳＰ）信号が入力された場合（例えば副映像信号の独立出力端子付きＤＶＤビデオプレーヤからの信号）、あるいは、このようなデータ構成のＤＶＤビデオ信号が放送され、それがＴＶチューナ１８で受信された場合には、ＤＶＤビデオ信号中の副映像信号が、エンコーダ群１４ｂのＳＰエンコーダに入力される。このＳＰエンコーダに入力された副映像信号は、所定の信号形態にアレンジされて、フォーマッタ１４ｃに送られる。
【００２５】
フォーマッタ１４ｃは、バッファメモリ１４ｄをワークエリアとして使用しながら、入力されたデジタル画像信号、デジタル音声信号及び副映像信号等に対して、それぞれ、記録に適したフォーマットとなるように所定の信号処理を施し、データプロセッサ１９に出力している。
【００２６】
そして、このようにエンコーダ部１４でエンコードされた情報や、作成された管理情報は、データプロセッサ１９及びディスクドライブ１２を介して、光ディスク１１に記録することができる。
【００２７】
ここで、この画像記録再生装置は、上記のようにしてエンコーダ部１４でエンコードされた情報や、作成された管理情報を、データプロセッサ１９を介してＨＤＤ部１３に供給し、そのハードディスクに記録することもできる。
【００２８】
また、ハードディスクに記録された情報をＨＤＤ部１３で読み出し、データプロセッサ１９及びディスクドライブ１２を介して、光ディスク１１に記録することもできる。
【００２９】
この場合、ハードディスクに記録されている情報のフォーマットが、光ディスク１１のデータフォーマットと同じである場合には、ハードディスクから読み取った情報をそのまま光ディスク１１に記録する。
【００３０】
また、ハードディスクに記録されている情報のフォーマットが、光ディスク１１のデータフォーマットと異なる場合には、ハードディスクから読み取った情報をエンコーダ部１４に供給して、光ディスク１１のデータフォーマットに適応するようにエンコード処理した後、光ディスク１１に記録する。
【００３１】
次に、この画像記録再生装置は、光ディスク１１に対して、情報の書き込み及び読み取り（記録及び再生）を実行する部分として、光学系や駆動系を有するディスクドライブ１２と、データプロセッサ１９と、一時記憶部２０と、ＳＴＣ（Ｓｙｓｙｅｍ  Ｔｉｍｅ  ＣｏｕｎｔｅｒまたはＳｙｅｔｅｍ  Ｔｉｍｅ  Ｃｌｏｃｋ）２１とを備えている。
【００３２】
このうち、一時記憶部２０は、エンコーダ部１４から出力され、データプロセッサ１９及びディスクドライブ１２を介して光ディスク１１に書き込まれるデータのうちの一定量をバッファリングしたり、ディスクドライブ１２によって光ディスク１１から読み取られ、データプロセッサ１９を介してデコーダ部１５に入力されるデータのうちの一定量をバッファリングするために利用される。
【００３３】
また、データプロセッサ１９は、マイクロコンピュータブロック１６の制御に基づいて、エンコーダ部１４から出力された記録用のデータをディスクドライブ１２に供給したり、ディスクドライブ１２が光ディスク１１から読み取ったデータを取り込んだり、光ディスク１１に記録された管理情報を書き替えたり、光ディスク１１に記録されたデータの削除を行なったりしている。
【００３４】
ここで、マイクロコンピュータブロック１６は、ＭＰＵ（Ｍｉｃｒｏ  Ｐｒｏｃｅｓｓｉｎｇ  Ｕｎｉｔ）［またはＣＰＵ（Ｃｅｎｔｒａｌ  Ｐｒｏｃｅｓｓｉｎｇ  Ｕｎｉｔ）］と、制御プログラムが書き込まれたＲＯＭと、プログラム実行に必要なワークエリアを提供するためのＲＡＭ（Ｒａｎｄｏｍ  Ａｃｃｅｓｓ  Ｍｅｍｏｒｙ）とを含んでいる。
【００３５】
そして、マイクロコンピュータブロック１６のＭＰＵは、操作パネル又はリモコン等のキー入力部２２からの操作情報を受け、そのＲＯＭに格納された制御プログラムに基づいて、ＲＡＭをワークエリアとして用いることにより、装置全体の動作を統括的に制御している。
【００３６】
なお、このマイクロコンピュータブロック１６が実行する動作のうち、この発明の特徴部分に関係する制御としては、録画予約設定やジャスト録画設定等がある。そして、ジャスト録画設定では、記録データの圧縮符号化レートの設定や、光ディスク１１やハードディスクの残り記録容量の検出等を含んでいる。
【００３７】
また、このマイクロコンピュータブロック１６の実行結果のうち、ユーザに通知すべき内容は、表示部２３に表示されるか、または、図示しないモニタディスプレイにＯＳＤ（Ｏｎ  Ｓｃｒｅｅｎ  Ｄｉｓｐｌａｙ）表示される。
【００３８】
なお、マイクロコンピュータブロック１６が、ディスクドライブ１２、データプロセッサ１９、エンコーダ部１４及びデコーダ部１５等を制御するタイミングは、前記ＳＴＣ２１からの時間データに基づいて決定される。
【００３９】
ここで、デコーダ部１５は、ディスクドライブ１２によって光ディスク１１から読み取られ、データプロセッサ１９を介して入力されたデータから、主映像データ、副映像データ及び音声データを分離する分離部１５ａと、この分離部１５ａにおける分離処理やその他の信号処理実行時に使用されるメモリ１５ｂと、分離部１５ａで分離された主映像データをデコードするＶデコーダ，分離部１５ａで分離された副映像データをデコードするＳＰデコーダ及び分離部１５ａで分離された音声データをデコードするＡデコーダよりなるデコーダ群１５ｃと、ｖデコーダから得られる主映像データにＳＰデコーダから得られる副映像データを適宜合成し、主映像に副映像を重ねて表示させるためのビデオプロセッサ１５ｄとを備えている。
【００４０】
ビデオプロセッサ１５ｄの出力は、ビデオミクサ２４に入力される。このビデオミクサ２４では、テキストデータの合成が行なわれる。また、ビデオミクサ２４には、上記Ａ／Ｖ入力部１７やＴＶチューナ１８からの信号を直接取り込むラインも接続されている。ビデオミクサ２４には、バッファとして用いるフレームメモリ２５が接続されている。
【００４１】
そして、ビデオミクサ２４の出力がデジタル出力の場合には、Ｉ／Ｆ（Ｉｎｔｅｒ／Ｆａｃｅ）２６を介して外部に出力され、アナログ出力の場合には、ＤＡＣ（Ｄｉｇｉｔａｌ  ｔｏ  Ａｎａｌｏｇ  Ｃｏｎｖｅｒｔｅｒ）２７を介して外部に出力される。
【００４２】
また、上記Ａデコーダの出力がデジタル出力の場合には、Ｉ／Ｆ２８を介して外部に出力され、アナログ出力の場合には、セレクタ２９を介してＤＡＣ３０でアナログ変換されて、外部に出力される。
【００４３】
このセレクタ２９は、マイクロコンピュータブロック１６からのセレクト信号により、Ａ／Ｖ入力部１７やＴＶチューナ１８からの出力信号を直接モニタするとき、ＡＤＣ１４ａからの出力を選択することが可能である。
【００４４】
［画像記録再生装置の特徴］
本発明に係る画像記録再生装置の構造は上述したとおりであるが、次にこのような構造の画像記録再生装置において、本発明が提案する実情に即したコマーシャル等のスキップ機能を以下にフローチャートを用いて詳細に説明する。図２は本発明に係る画像記録再生装置のスキップ機能のスキップ時間を決定する手順を示すフローチャートである。
【００４５】
ＤＶＤの画像記録再生装置の従来のコマーシャル（以下ＣＭとする）スキップとは、録画したＴＶ番組のＣＭをとばして再生するための機能であり、たとえば、リモコン等２２のＣＭスキップキーを１回押すと３０秒先へスキップした上で再生を行うものである。更にＣＭスキップキーを２回押すと、１分先へスキップして再生を行う。以下、連続して押した回数に比例して再生映像のスキップ先が決められるものである。
【００４６】
しかし、１回目はユーザが映像を視聴中にＣＭに入ったことを認知してからＣＭスキップキーを押すため、どうしてもリモコンを手に取り上げる時間も含めてキー押下の遅れが発生してしまう。従って、１分間のＣＭがある箇所で２回のキー押下を行うと、スキップ先での再生が始まる時点が、ＣＭが終了して本編が再開されて数秒経過したところとなってしまう。よって、ＣＭ明けの本編の一部を見逃してしまうという不具合がしばしば発生している。本発明はこの不具合に精緻に対応するスキップ機能であり、上述したマイクロコンピュータブロック１６にスキップ量制御部を設けて、このユーザの操作の遅れ時間を補正して、本編の一部を見逃す場合を回避するものである。
【００４７】
本発明に係る画像記録再生装置は、上述したような構造において、内部に設けられたＴＶチューナ１６やＡ／Ｖ入力部１７からの映像信号を取り込み、装着されたＤＶＤ等の光ディスク１１に対して、記録を行うものである。更に、この記録処理は、内蔵されたＨＤＤ部１３に対しても行われるものである。
【００４８】
それと同様に、ＤＶＤ等の光ディスク１１とＨＤＤ部１３とに対して、格納されている画像情報なり映像情報を、操作パネル又はリモコン等のキー入力部２２の操作信号に応じてマイクロコンピュータブロックの制御下において、再生処理を行うものである。スキップ動作は、主にこの再生処理中に指示が与えられるものであり、図２のフローチャートに応じてその手順を説明する。
【００４９】
映像情報が再生中であると、操作パネル又はリモコン等のキー入力部２２上のスキップキーが押下されたかどうかが監視されることになる（Ｓ１１）。押下があると、これが先のスキップキーの押下に連続されて成されたものか、すなわち例えば先の押下から３秒以内になされたものかどうかの判断がなされる（Ｓ１２）。ＣＭは、一般に１５秒単位とか３０秒単位で設けられるので、３０秒のＣＭならステップキー押下一回でスキップ、６０秒なら連続（正確にはここでは３秒以上を経過せずに次を押す）して２回、９０秒なら連続して３回押すことで、ＣＭをスキップすることができる。
【００５０】
このステップキーの押下が最初のものであれば、ＣＭの時間から、ユーザが映像を視聴中にＣＭが始まったことを認識してリモコン等２２を取り上げて実際にステップキーを押下するまでの遅れ時間を除いたときの時間、一例としてＣＭ時間の３０秒から遅れ時間の３秒を引いた２７秒のスキップ時間がここでは与えられており、再生処理は中断され２７秒分のスキップが行われる（Ｓ１３）。このように、遅れ時間が考慮されたスキップ処理が行われることにより、従来装置にありがちであった、ユーザの操作がワンテンポ遅れることにより、スキップ先がＣＭ明けから小時間経過した時点になってしまい、本編の一部を見逃してしまう等の不具合を回避することが可能になる。
【００５１】
更に、ステップＳ１２の判断で、このスキップキーの押下が先の押下の３秒以内のものであるとすれば、３０秒以上の長いＣＭ時間をスキップするべく連続して何度かを押下されたものと考えられる。原則的には、２回目以降のスキップキーの押下に対するスキップ時間は、１回目のように操作の遅延時間を考慮する必要はないので、ＣＭの単位時間と思われる例えば３０秒をスキップ時間とすればよい。
【００５２】
しかしながら、２回目のスキップ処理の際に、既に前回のスキップ処理が完了してしまって再生が始まってしまっている場合がある。こういう場合は、ユーザがこの再生の視聴により操作タイミングが幾分遅れる可能性があり、その分だけスキップ先のタイミングが後にずれることで、本編の一部を見逃す危険がここにも発生してくる。
【００５３】
従ってステップＳ１４にて、前回のスキップ処理後の再生が始まっていないかどうかを確認し、始まっていなければ、何の遅延も考慮していないＣＭ時間だけの３０秒のスキップ処理を行うものである（Ｓ１５）。しかしながら、前回のスキップ処理後の再生が始まっている場合は、この再生による遅れを補償するべく例えばずれ時間の１秒を引いた２９秒のスキップ処理を行う（Ｓ１６）。
【００５４】
このように、いくつかの場合に分けて状況に応じた最適なスキップ時間によるスキップ処理を、スキップキーの押下に応じて繰り返すものである。しかし、画像の再生処理が中断したり停止したりした場合は、スキップ処理のサブルーチンもそこで終了することになる（Ｓ１７）。
【００５５】
このときのスキップ時間について、より具体的に以下に説明する。すなわち、ユーザがリモコン等２２のスキップキーにて、ＣＭスキップを１回押すと、ＣＭスキップされる時間がある一定時間２８秒に設定される。さらに、このスキップキーを２回押すと、スキップ時間が１回押した場合と違った増分３０秒を加算した５８秒に設定される。３回目以降では１回押した場合と違った増分３０秒ずつ加算した時間がスキップ時間として設定される。
【００５６】
すなわち、
１回ＣＭスキップキーを押した場合は２８秒、
２回ＣＭスキップキーを連続押しした場合は２８＋３０＝５８で一括して５８秒、
３回ＣＭスキップキーを連続押しした場合は２８＋３０＋３０で一括して８８秒でスキップが行われ、以下同様の計算によりマイクロコンピュータブロック１６のスキップ量制御部によりスキップ時間が求められる。３秒以内の連続押しがない時点で、カウントはリセットされたことになり、それ以降の押下は１回目のものとして扱われることになる。
【００５７】
従ってこのようなスキップ処理において、たとえば００：００：００を基準点（最初のキー押下点）とすると、
１）１回目のスキップキーの押下で（３秒待つことなく）すぐに００：００：２８へのスキップ処理を開始する。
【００５８】
２）もし１回目の押下から３秒以内に再度スキップキーが押下されると
２−１）その時点でまだ絵が出ていなければ、あらためて００：００：５８へのスキップ動作を開始する。
【００５９】
２−２）その時点でもう絵が出ていたら、００：００：５７へのアクセス動作を開始する。ここで２−２）が２−１）より１秒少ないのは、ステップＳ１５で説明したように、それを見ていたためにユーザの反応が少し遅れる可能性が高いという意味である。もちろん１秒減らさない方法も可能である。
【００６０】
以上、本発明に係るスキップ処理の一例を説明したが、これに関して様々な変形例が考えられ、以下にそれを説明する。例えば、上記の実施形態では、スキップ処理の単位時間を３０秒として説明したが、一般には、ＣＭは一本当たり１５秒またはその倍数であることが多い。従って、スキップも１５秒単位で行うことも好適となる。従って、１回目の押下についてのスキップは、２回目の押下のスキップで１５秒のところ、１２秒等のスキップが考えられる。
【００６１】
又、上記の例では押下１回目のスキップ量は、２７秒としていたが、この時間は２５秒から２９秒までの幅が考えられる。更にこのスキップ量を、ユーザがリモコン２２を利用して自由に設定することが可能である。この場合の設定は、１回目のスキップ量に加えて、２回目以降のスキップ量や、連続して入力しているときにスキップが完了した場合のスキップ量（ステップＳ１６でのスキップ量）をも自由にユーザがリモコンを通じて設定することも可能である。
【００６２】
又、それぞれのスキップ量は、外部からの情報等をもとにして、スキップ時間の設定を自動的に行うことも好適である。例えば、番組情報等を元に自動的にスキップ時間を設定する場合である。
【００６３】
更に、スキップ処理中の表示画面を、スキップ直前の画面を静止してこれをホールドするホールド画面とすることにより、本編以外のＣＭ画面の情報を排除する方法が可能である。更にスキップ処理中の表示画面は、ブルーバック等の画面とすることでも同等の作用効果を得ることが可能となる。
【００６４】
最後に上記実施形態においては、ＣＭのスキップ機能を例に挙げて説明したが、本発明はＣＭのスキップだけに限るものではなく、単なるスキップ処理に適応しても同等の作用効果を有することは言うまでもない。
【００６５】
【発明の効果】
以上詳述したようにこの発明によれば、ユーザがＣＭに入ったことを認知してから実際にリモコン等のスキップキーを押す際の遅れ時間が発生しても、ＣＭ後の本編の冒頭部分を見逃してしまう可能性が非常に低いスキップ機能を有する画像記録再生装置を提供することができる。
【図面の簡単な説明】
【図１】本発明に係る画像記録再生装置の一実施の形態を説明するために示すブロック構成図。
【図２】本発明に係る画像記録再生装置のスキップ機能のスキップ時間を決定する手順を示すフローチャート。
【符号の説明】
１１…光ディスク、
１２…ディスクドライブ、
１３…ＨＤＤ部、
１４…エンコーダ部、
１５…デコーダ部、
１６…スキップ量制御部をもつマイクロコンピュータブロック、
１７…Ａ／Ｖ入力部、
１８…ＴＶチューナ、
１９…データプロセッサ、
２０…一時記憶部、
２１…ＳＴＣ、
２２…操作パネル又はリモコン等のキー入力部、
２３…表示部、
２４…ビデオミクサ、
２５…フレームメモリ、
２６…Ｉ／Ｆ、
２７…ＤＡＣ、
２８…Ｉ／Ｆ、
２９…セレクタ、
３０…ＤＡＣ。
【図１】
0003607598.tif 000002
【図２】
0003607598.tif 000003